(57)【特許請求の範囲】
【請求項１】
圧縮機と、室外熱交換器と、複数の開閉弁および複数の膨張弁を含む複数の電装機器とをパッケージに収納する室外機を有するヒートポンプにおいて、
少なくとも一つの上記電装機器へ電力を供給するための端子台を収納した端子台ボックスを備え、
上記端子台ボックスは、パッケージの側板の一部と、上記複数の電装機器に含まれると共に上記側板の一部側に位置する一部の電装機器との間に位置し、
上記端子台ボックスは、水平方向に回転可能にヒンジによって支持されており、
上記端子台ボックスが閉止位置に位置しているとき、上記端子台ボックスの正面視において、複数の上記開閉弁が上記端子台ボックスの後方に配置され、かつ、上記端子台ボックスの下方に上記膨脹弁が配置されて上記膨脹弁が外部に露出しており、
上記端子台ボックスが開放位置に位置しているとき、複数の上記開閉弁および上記膨脹弁がともに外部に露出する、ことを特徴とするヒートポンプ。
【請求項２】
請求項１に記載のヒートポンプにおいて、
上記端子台ボックスに遠隔監視装置を収納したことを特徴とするヒートポンプ。
【発明の詳細な説明】
【技術分野】
【０００１】
本発明は、ヒートポンプに関し、例えば、ガスエンジン等のエンジン駆動式のヒートポンプや、電気駆動式のヒートポンプに関する。
【背景技術】
【０００２】
従来、制御ボックスの配置構造としては、特許第５１３４４２８号公報（特許文献１）に記載されているものがある。この制御ボックスの配置構造は、コージェネレーション装置に搭載されている。
【０００３】
この制御ボックスの配置構造は、制御ボックスと、インバータの操作面とをコージェネレーション装置の奥行き方向に重なるように配置している。制御ボックスは、ヒンジで開閉可能になっている。
【先行技術文献】
【特許文献】
【０００４】
【特許文献１】特許第５１３４４２８号公報
【発明の概要】
【発明が解決しようとする課題】
【０００５】
上記従来技術は、コージェネレーション装置における制御ボックスの配置構造を開示する。しかしながら、ヒートポンプにおける電装品の種類や数や構造は、コージェネレーション装置における電装品の種類や数や構造と全く異なるから、上記従来技術を参照しても、ヒートポンプにおける電装機器のメンテナンスが容易な端子台ボックスの配置構造に対する知見が得られない。
【０００６】
そこで、本発明の課題は、電装機器のメンテナンスを容易に行い得るヒートポンプを提供することにある。
【課題を解決するための手段】
【０００７】
上記課題を解決するため、この発明のヒートポンプは、
圧縮機と、室外熱交換器と、複数の開閉弁および複数の膨張弁を含む複数の電装機器とをパッケージに収納する室外機を有するヒートポンプにおいて、
少なくとも一つの上記電装機器へ電力を供給するための端子台を収納した端子台ボックスを備え、
上記端子台ボックスは、パッケージの側板の一部と、上記複数の電装機器に含まれると共に上記側板の一部側に位置する一部の電装機器との間に位置し、
上記端子台ボックスは、水平方向に回転可能にヒンジによって支持されていることを特徴としている。
【０００８】
尚、この明細書では、水平方向や鉛直方向や高さ方向といった高さに関係がある文言（表現）を使用した場合、それは、室外機を使用状態における姿勢で水平面に載置した状態での方向等を指すものとする。
【０００９】
本発明によれば、端子台ボックスが、パッケージの側板の一部と、上記側板の一部側に位置する一部の電装機器との間に位置し、かつ、端子台ボックスが、水平方向に回転可能にヒンジによって支持されているから、端子台ボックスを適切に回転させることにより、一部の電装機器を外部側に容易に露出させることができる（外部側に面するようにできる）。したがって、端子台ボックスを適切に回転させるだけで、ユーザが上記一部の電装機器にアクセスできて、上記一部の電装機器のメンテナンスを容易に行い得る。
【００１０】
また、一実施形態では、
上記端子台ボックスに遠隔監視装置を収納している。
【００１１】
尚、上記遠隔監視装置を、ヒートポンプの少なくとも一つの機器の状態を表す信号を、有線または無線でヒートポンプの外部に送信するための装置として定義する。
【００１２】
上記実施形態によれば、容積が大きい各種電装機器の配置スペースに新たに遠隔監視装置の配置スペースを設ける必要がない。したがって、各種電装機器の配置スペースを小さくできる。また、端子台ボックスに遠隔監視装置を収納しているから、遠隔監視装置の配置位置を容易に特定でき、遠隔監視装置のメンテナンスを容易に行うことができる。
【００１３】
また、一実施形態では、
上記室外機の上記パッケージを外した状態で、上記複数の電装機器は、奥行き方向の上記端子台ボックス配置側に、外部に面することが可能な（外部からアクセス可能な）一以上の電磁弁と、外部に面することが可能な（外部からアクセス可能な）一以上の電子膨張弁とを有し、
上記端子台ボックスに対向可能な一部の電装機器は、少なくとも一つの上記外部に面する電磁弁を有し、
上記端子台ボックスは、全ての上記外部に面する電子膨張弁よりも高い箇所に位置する。
【００１４】
各電子膨張弁は、冷媒の膨張を行うことから、各電子膨張弁の表面には結露が生成し易い。また、電子膨張弁の容積は、電磁弁の容積よりも大きいことが多い。
【００１５】
上記実施形態によれば、全ての外部に面する電子膨張弁が、端子台ボックスよりも下方に存在しているから、水分に弱い端子台ボックスに格納されている電子部品や電装機器のより多くを、各外部に面する電子膨張弁よりも高い位置に配置できる。したがって、子台ボックスに格納されている電子部品や、より多くの電装機器を、外部に面する電子膨張弁の表面に生成される結露より守ることができる。
【００１６】
また、上記実施形態によれば、端子台ボックスが隙間のみを介して対向し得る機器が、電磁弁を含む一方、電子膨張弁を含まない。したがって、各電磁弁および各電子膨張弁の特定を容易に行うことができて、特定の弁のメンテナンスを容易に行うことができる。
【発明の効果】
【００１７】
本発明のヒートポンプによれば、電装機器のメンテナンスをより容易に行うことができる。
【図面の簡単な説明】
【００１８】
【図１】本発明の一実施形態のガスエンジン駆動式ヒートポンプの簡略化した冷媒回路図である。
【図２】室外機のパッケージを示す模式図である。
【図３】室外機を、上部から見た図である。
【図４】パッケージを取り外した状態の室外機を示す斜視図であり、室外機の内部構造の一部を示す斜視図である。
【図５】パッケージを取り外した状態の室外機の一部を、ガスエンジン搭載側から見たときの斜視図である。
【図６】図２に示す圧縮機の奥側の側板部を外したときの、室外機の一部を、図２の紙面の奥側から見たときの斜視図であり、端子台ボックスが、開放位置に位置しているときの図である。
【図７】図２に示す圧縮機の奥側の側板部を外したときの、室外機の一部を、図２の紙面の奥側から見たときの斜視図であり、端子台ボックスが、閉止位置に位置しているときの図である。
【発明を実施するための形態】
【００１９】
以下、本発明を図示の形態により詳細に説明する。
【００２０】
図１は、本発明の一実施形態のガスエンジン駆動式ヒートポンプの簡略化した冷媒回路図である。
【００２１】
図１は、本発明の一実施形態のガスエンジン駆動式ヒートポンプの簡略化した冷媒回路図である。
【００２２】
図１に示すように、このヒートポンプは、室外機５０、室内機１００、ガス管１１０および液冷媒管１２０を備える。また、このヒートポンプは、室外機５０用の制御装置６０を備える。尚、図１に参照番号８０で示す点線は、室外機５０のパッケージを示している。図１に示すように、ガス管１１０および液冷媒管１２０の夫々は、室外機５０と室内機１００とを接続している。
【００２３】
室外機５０は、第１圧縮機１、第２圧縮機２、オイルセパレータ３、四方弁４、ガス側閉鎖弁５、ガス側フィルタ６、液側フィルタ９、液側閉鎖弁１０、第１逆止弁１１、第２逆止弁１２、第３逆止弁１３、第４逆止弁１４、レシーバ１７および過冷却熱交換器１８を有する。また、室外機５０は、第１電子膨張弁２０、第２電子膨張弁２１、第１室外熱交換器２３、第２室外熱交換器２４、アキュムレータ２６、サブエバポレータ（冷媒補助蒸発器）２７、第３電子膨張弁３５、第４電子膨張弁３６、電磁弁３８および第５逆止弁３９を有する。一方、室内機１００は、室内熱交換器８を有する。
【００２４】
制御装置６０は、第１圧縮機１、第２圧縮機２、四方弁４、第１電子膨張弁２０、第２電子膨張弁２１、第３電子膨張弁３５、第４電子膨張弁３６および電磁弁３８に制御信号を出力し、それらの機器を制御する。図示はしないが、制御装置６０は、信号線を介してこれらの機器の夫々と電気接続されている。
【００２５】
図１に示すように、第１圧縮機１、第２圧縮機２、ガス側閉鎖弁５、液側閉鎖弁１０、ガス側フィルタ６および液側フィルタ９は、室外機５０のパッケージ８０内に設けられている。第１圧縮機１、第２圧縮機２、ガス側閉鎖弁５、液側閉鎖弁１０、ガス側フィルタ６および液側フィルタ９は、パッケージ８０によって画定された同一の室内に配置されている。
【００２６】
図１に示すように、第１圧縮機１と、第２圧縮機２は、並列に配置され、第１および第２圧縮機１,２の吐出側のラインは、オイルセパレータ３の冷媒流入口に接続されている。オイルセパレータ３の冷媒流出側は、四方弁４の第１ポート３０に接続されている。四方弁４の第２ポート３１は、ガス側閉鎖弁５およびガス側フィルタ６を経由して室内熱交換器８のガス側のポートに接続されている。ガス側フィルタ６は、ガス側閉鎖弁５よりも室内機１００側でかつ室外機５０のパッケージ８０内に配置されている。
【００２７】
室内熱交換器８の液側のポートは、液側フィルタ９および液側閉鎖弁１０を介して、第１逆止弁１１の冷媒流出側のポートと第２逆止弁１２の冷媒流入側のポートとを接続するライン２５に接続されている。液側フィルタ９は、液側閉鎖弁１０よりも室内機１００側でかつ室外機５０のパッケージ８０内に配置されている。第１逆止弁１１の冷媒流出側のポートは、ライン５５を介してレシーバ１７の冷媒流入側のポートに接続されている。レシーバ１７の冷媒流出側のポートは、過冷却熱交換器１８を介して、第２および第４逆止弁１２,１４の夫々の冷媒流入側のポートに接続されている。
【００２８】
図１に示すように、第４逆止弁１４の冷媒流出側のポートと第３逆止弁１３の冷媒流入側のポートとは、ライン５６で接続されている。第１および第２電子膨張弁２０,２１は、ライン５６から分岐したライン５７に並列に接続されている。第１および第２電子膨張弁２０,２１の逆止弁１３,１４接続側とは異なる側から出たライン５８には、第１および第２室外熱交換器２３,２４が並列に接続されている。第１および第２電子膨張弁２０,２１は、第１および第２室外熱交換器２３,２４に直列に接続されている。
【００２９】
第１および第２室外熱交換器２３,２４の電子膨張弁２０,２１接続側とは異なる側から出たライン５９は、四方弁４の第３ポート３２に接続されている。図１に示すように、四方弁４の第４ポート３３は、アキュムレータ２６に接続されている。アキュムレータ２６は、圧縮機１,２の吸入側に接続されている。
【００３０】
また、第４逆止弁１４の冷媒流入側のポートは、第３電子膨張弁３５を経由してサブエバポレータ２７に接続されている。サブエバポレータの第４逆止弁１４接続側とは異なる側は、四方弁の第４ポート３３とアキュムレータ２６を接続しているライン６１に接続されている。
【００３１】
第４逆止弁１４の冷媒流入側のポートと、第３電子膨張弁３５を接続するライン６２からは、新たなライン６３が分岐している。その分岐したライン６３は、第４電子膨張弁３６を介して、過冷却熱交換器１８に接続されている。図１に示すように、過冷却熱交換器１８は、アキュムレータ２６と圧縮機１,２を接続するライン４０に、ライン４１を介して直接的に接続されている。過冷却熱交換器１８を通過した冷媒は、過冷却熱交換器１８を通過した後、ライン４１を通って圧縮機１,２の方に流動する。
【００３２】
図１に示すように、室外熱交換器２３,２４と、電子膨張弁２０,２１とを接続するライン５８は分岐し、ライン５８から分岐したライン５３は、第１および第３逆止弁１１,１３をレシーバ１７に接続するライン５５に接続されている。電磁弁３８および第５逆止弁３９は、上記分岐したライン５３の経路上に配置されている。図１に示すように、電磁弁３８は、ライン５３上において第５逆止弁３９よりも室外熱交換器２３,２４側に位置している。制御装置６０は、電磁弁３８を全開か全閉の状態に制御する。
【００３３】
上記構成において、このヒートポンプは、次のように冷暖房運転を行う。
【００３４】
先ず、暖房運転では、制御装置６０が、四方弁４を制御して、四方弁４の第１ポート３０と第２ポート３１とを接続し、第３ポート３２と第４ポート３３とを接続する。
【００３５】
暖房運転において、圧縮機１,２から吐出された高圧の冷媒ガスは、先ず、オイルセパレータ３に流入する。オイルセパレータ３は、冷媒ガスから圧縮機１,２の潤滑油を分離する。詳述しないが、オイルセパレータ３で冷媒ガスから分離された潤滑油は、図示しないラインを介して圧縮機１,２に戻される。
【００３６】
冷媒ガスは、オイルセパレータ３を通過した後、四方弁４、ガス側閉鎖弁５、ガス側フィルタ６を、この順に通過して、室内熱交換器８に流入する。ガス側閉鎖弁５は、手動（工具を使用する場合もある）で開閉される弁である。ガス側閉鎖弁５は、主に施工時に室外機５０を室内機１００に接続する際に閉鎖される。ガス側閉鎖弁５は、施工時に外部からの異物が室外機５０に混入することを防止する役割を担っている。また、ガス側フィルタ６は、施工時に外部からの異物を取り除く役割を担っている。ガス側フィルタ６は、室外機５０を保護するために設けられている。
【００３７】
ガス冷媒は、室内熱交換器８に熱を与えることにより、自らは液化して液冷媒となる。その後、液冷媒は、液側フィルタ９、液側閉鎖弁１０、第１逆止弁１１をこの順に経由して、レシーバ１７に流入する。液側閉鎖弁１０は、手動（工具を使用する場合もある）で開閉される弁である。液側閉鎖弁１０は、主に施工時に室外機５０を室内機１００に接続する際に閉鎖される。液側閉鎖弁１０は、施工時に外部からの異物が室外機５０に混入することを防止する役割を担っている。液側フィルタ９は、施工時に外部からの異物を取り除く役割を担っている。液側フィルタ９は、室外機５０を保護するために設けられている。
【００３８】
レシーバ１７は、液冷媒を、貯留する役割を担っている。その後、液冷媒は、レシーバ１７の底を抜け、過冷却熱交換器１８を通過して、第４逆止弁１４を、通り抜けて、第１および第２電子膨張弁２０,２１の方に流動する。
【００３９】
尚、レシーバ１７の底から抜けた液冷媒の圧力は、経路圧損により、第２逆止弁１２の流出側の液冷媒の圧力や、第１および３逆止弁１１,１３の流出側の液冷媒の圧力よりも低圧になる。これにより、レシーバ１７の底を抜けた液冷媒は、基本的に第２逆止弁１２や第３逆止弁１３を通過しない。
【００４０】
その後、液冷媒は、第１および第２電子膨張弁２０,２１で膨張されて、噴霧され、霧状になる。第１および第２電子膨張弁２０,２１の開度は、制御装置６０によって自在に制御される。尚、冷媒の圧力は、第１および第２電子膨張弁２０,２１の通過前には、高圧である一方、第１および第２電子膨張弁２０,２１の通過後には、低圧になる。
【００４１】
その後、霧状の湿った液冷媒は、第１および第２室外熱交換器２３,２４によって外気と熱交換して、外気から熱をもらってガス化する。このように、冷媒は、室内熱交換器８に熱を付与する一方、室外熱交換器２３,２４から熱を付与される。その後、ガス化した冷媒は、四方弁４を通過して、アキュムレータ２６に到達する。アキュムレータ２６は、ガスの冷媒と、霧状の冷媒とを分離し、冷媒を、完全にガス化する。仮に、霧状のままの冷媒が、圧縮機１,２に戻ると、圧縮機１,２の摺動部が、損傷する虞がある。アキュムレータ２６は、そのような事態を防止する役割も担っている。その後、アキュムレータ２６を通過した冷媒ガスは、圧縮機１,２の吸込口に流入する。
【００４２】
制御装置６０からの制御によって、第３電子膨張弁３５が部分的または完全に開いている場合には、過冷却熱交換器１８を通過した液冷媒の一部が、第３電子膨張弁３５で霧状になった後、サブエバポレータ２７に流入する。サブエバポレータ２７には、ガスエンジンの暖かい冷却水（６０度から９０度の冷却水）が導入される。
【００４３】
サブエバポレータ２７に流入した霧状の液冷媒は、上記暖かい冷却水と間接的に熱交換して、気体となり、その後、アキュムレータ２６に到達する。このようにして、熱の受け渡しの性能を高くしている。尚、暖房運転を行っているときには、第４電子膨張弁３６は、全閉に制御される。
【００４４】
一方、冷房運転では、制御装置６０が、四方弁４を制御して、四方弁４の第１ポート３０と第３ポート３２を接続し、第２ポート３１と第４ポート３３を接続する。以下、冷房の場合については、熱の流れを簡潔に述べる。
【００４５】
冷房運転の場合、第１および第２圧縮機１,２から吐出されたガス冷媒は、オイルセパレータ３を通過した後、四方弁４を通過して、第１および第２室外熱交換器２３,２４に到達する。この際、冷媒の温度は、高温であるので、冷媒は、夏場の酷暑の空気（３０〜４０度の空気）でも、第１および第２室外熱交換器２３,２４によって冷却される。そして、ガス冷媒は、第１および第２室外熱交換器２３,２４で熱を奪われて、液冷媒となる。
【００４６】
冷房運転時には、制御装置６０は、第１および第２電子膨張弁２０,２１の開度を適切な開度に制御し、電磁弁３８を全開に制御する。第１および第２室外熱交換器２３,２４を通過した液冷媒は、基本的には、電磁弁３８および逆止弁３９を通過して、レシーバ１７に到達する。その後、液冷媒は、レシーバ１７の底を抜けて、過冷却熱交換器１８を経由して、第２逆止弁１２と第１逆止弁１１との間から液側閉鎖弁１０の方に流れる。
【００４７】
その後、液冷媒は、液側閉鎖弁１０および液側フィルタ９を経由して、室内熱交換器８に流入する。室内熱交換器８に流入した低温の液冷媒は、室内熱交換器８から熱を奪って、室内の空気を冷却する一方、室内熱交換器８から熱を付与されて気化する。このように、冷媒は、室内熱交換器８から熱を奪う一方、第１および第２室外熱交換器２３,２４に熱を放出する。その後、気化したガス冷媒は、ガス側フィルタ６、ガス側閉鎖弁５、四方弁４、アキュムレータ２６を、この順に通過して、圧縮機１,２の吸入口に流入する。
【００４８】
また、夏場の暑い時等に、制御装置６０が、ユーザのリモコン操作による信号を、室内機１００の制御装置（図示せず）および信号線（図示せず）を介して受けると、制御装置６０が、第４電子膨張弁３６の開度を適切な開度に制御する。そうすると、レシーバ１７および過冷却熱交換器１８を通過した液冷媒の一部が、第４電子膨張弁３６の通過によって冷却されて、過冷却熱交換器１８に流入する。このようにして、レシーバ１７から第４電子膨張弁３６を経ずに過冷却熱交換器１８に流入した液冷媒と、第４電子膨張弁３６を通過して過冷却熱交換器１８に流入した液冷媒とで、熱交換を行う。そして、室内熱交換器８に送られる液冷媒を更に冷却する一方、第４電子膨張弁３６を通過した液冷媒を温めて、ガス化して、圧縮機１,２側に流動させる。
【００４９】
図２は、室外機５０のパッケージ８０を示す模式図である。また、図３は、室外機５０を、上部から見た図である。
【００５０】
図２を参照して、パッケージ８０の内部において、上半分には、第１および第２室外熱交換器２３,２４（図１参照）が配置され、下半分には、それ以外の殆どの部位（圧縮機１,２（図１参照）等）が配置される。また、図２を参照して、パッケージ８０の内部の紙面の手前側には、主に、制御部品が配置され、奥側には、主に、各種弁等が配置される。図２では、パッケージ８０の見えない奥側の側板部（パッケージ８０の側板の一部）８９には、冷媒を、室内機１００に送るための接続口と、冷媒を、室内機１００から受けるための接続口が存在する。図２を参照して、パッケージ８０の上部の側面８８は、空気が通り抜け可能な構造となっている。
【００５１】
図３に示すように、この室外機５０は、パッケージ８０内の上部に複数のファン７０が配置されている。また、室外機５０の上面は、空気が通り抜け可能な構造となっている。各ファン７０を駆動して、空気をパッケージ８０の上部の側面８８から吸い込んで、室外機５０の上部から排出することにより、吸い込んだ空気と、冷媒とで熱交換を行う。
【００５２】
図４は、パッケージ８０を取り外した状態の室外機５０を示す斜視図であり、室外機５０の内部構造の一部を示す斜視図である。
【００５３】
この斜視図では、オイルセパレータ３、レシーバ１７および四方弁４は、紙面の奥側に位置する一方、サブエバポレータ２７、アキュムレータ２６、二つのうちの一方の圧縮機１、液側閉鎖弁１０、液側フィルタ９、ガス側閉鎖弁５およびガス側フィルタ６は、紙面の手前側に位置している。
【００５４】
また、図４において、参照番号８１は、四方弁４からのラインを、２階に配置される室外熱交換器１,２（図４では、図示せず）に接続するための小判フランジを示し、参照番号８２は、室外熱交換器１,２からのラインを、レシーバ１７側に接続するための小判フランジを示す。また、アキュムレータ２６よりも、図４に矢印Ａで示す室外機５０の幅方向の一方側には、ガスエンジン（図示せず）が配置される。換言すれば、室外機５０の幅方向を、ガスエンジン等の室外機５０の動力源が室外機５０に対して隣接配置される方向として定義する。
【００５５】
図５は、パッケージ８０を取り外した状態の室外機５０の一部を、ガスエンジン搭載側から見たときの斜視図である。
【００５６】
図５において、参照番号８３は、ガスエンジンのフライホイールであり、参照番号８４は、第１圧縮機１への動力の断続を行う電磁クラッチであり、参照番号８５は、巻回ベルトであり、参照番号８６は、第２圧縮機２への動力の断続を行う電磁クラッチである。図５に示すように、巻回ベルト８５は、フライホイール８３、電磁クラッチ８４および電磁クラッチ８６にかけ回されている。ガスエンジンの回転動力を、フライホイール８３、巻回ベルト８５を介して、電磁クラッチ８４,８６に伝達し、電磁クラッチ８４,８６から圧縮機１,２に回転動力を伝達する。
【００５７】
図６は、図２に示す室外機５０の奥側の側板部８９を外したときの、室外機５０の一部を、図２の紙面の奥側から見たときの斜視図であり、端子台ボックス６５が、開放位置に位置しているときの図である。尚、端子台ボックス６５が、開放位置に位置するとき、端子台ボックス６５は、室外機５０の奥行き方向に延在している。
【００５８】
図６に示すように、室外機５０は、端子台ボックス６５を有し、端子台ボックス６５は、各電装機器４,２０,２１,３５,３６,３８（図１参照）等へ電力を供給するための端子台を収納している。図６に示すように、端子台ボックス６５は、奥行き方向（図４に矢印Ｂで示す）でサブエバポレータ２７側に位置している。上述のように、パッケージ内の２階には、室外熱交換器１,２が配置されている。端子台ボックス６５は、高さ方向で一階の上部に配置されている。また、端子台ボックス６５は、図６に矢印Ａで示す室外機５０の幅方向でガスエンジン側とは反対側の端部に位置している。
【００５９】
室外機５０は、高さ方向に延在するフレーム４２を備える。フレーム４２は、奥行き方向（図４に矢印Ｂで示す）でサブエバポレータ２７側に位置し、幅方向でガスエンジン側とは反対側の端部に位置する。端子台ボックス６５は、ヒンジ構造によってフレーム４２に水平方向に回転可能に支持されている。
【００６０】
室外機５０は、水平方向に延在するフレーム４３を備える、フレーム４３は、一階と二階とを区切る（隔てる）フレームである。フレーム４３は、奥行き方向でサブエバポレータ２７側に位置している。図６に示すように、端子台ボックス６５の上側の縁部は、高さ方向にフレーム４３にわずかな隙間を介して位置している。
【００６１】
図６に示す開放位置では、端子台ボックス６５の表面４６の法線方向は、矢印Ａで示す幅方向と略一致している。図６において、９０〜９９,１０１は、電磁弁であり、７５は、電子膨張弁である。今まで説明してきた、各電磁弁３８,９０〜９９,１０１は、開閉弁である。図１の冷媒回路図では、省略したが、ヒートポンプは、オイルセパレータ３に溜まった圧縮機１,２の潤滑油を圧縮機１,２に戻すための弁やラインを有する。また、詳述しないが、ヒートポンプは、図１の冷媒回路図で示した弁やライン以外にも、室外機を二つ接続する場合に、一方の室外機から他方の室外機に冷媒や潤滑オイルを流動させるための各種弁やラインを有する。これらの電磁弁９０〜９９,１０１や電子膨張弁７５は、それら図１の冷媒回路図に図示しなかった複数の弁のうちの一部の弁である。
【００６２】
圧縮機１,２（図１参照）、室外熱交換器２３,２４（図１参照）および複数の電装機器９０〜９９,１０１,７５等は、パッケージ８０（図１,２参照）に収納されている。図６に示すように、電子膨張弁７５の容積は、各電磁弁９０〜９９,１０１の容積よりも大きい。電磁弁９０〜９６は、電磁弁９７〜９９,１０１よりも高い位置に存在する。電磁弁９０〜９６は、電子膨張弁７５よりも高い位置に存在する。
【００６３】
図６に示すように、端子台ボックス６５が開放位置に位置しているとき、電磁弁９０〜９６は、外部に露出している（外部に面している）。この状態で、ユーザは、電磁弁９０〜９６にアクセスでき、電磁弁９０〜９６のうちの少なくとも一つをメンテナンスできる。
【００６４】
図７は、図２に示す圧縮機５０の奥側の側板部８９を外したときの、室外機５０の一部を、図２の紙面の奥側から見たときの斜視図であり、端子台ボックス６５が、閉止位置に位置しているときの図である。尚、端子台ボックス６５が、閉止位置に位置するとき、端子台ボックス６５は、室外機５０の幅方向に延在している。
【００６５】
図７に示すように、端子台ボックス６５には、端子台７４が収納されている。端子台７４は、室外機５０に搭載された少なくとも一つの電装機器へ電力を供給するのに使用されている。
【００６６】
図７に示す閉止位置では、電磁弁９０〜９６が、端子台ボックス６５に奥行き方向（パッケージ８０（図２参照）の側板部８９（図２参照）の法線方向）に重なる。一方、電磁弁９７〜９９,１０１および電子膨張弁７５は、端子台ボックス６５に対して高さ方向に間隔をおいて位置する。図７に示す閉止位置でも、電磁弁９７〜９９,１０１および電子膨張弁７５は、端子台ボックス６５に奥行き方向に重ならない。
【００６７】
図６を参照して、端子台ボックス６５の高さ方向の存在範囲は、複数の電装機器９０〜９９,１０１,７５等のうちの一部の電装機器９０〜９６の高さ方向の存在範囲に重なる。端子台ボックス６５は、上記一部の電装機器９０〜９６よりもパッケージ８０の側板部８９（図２参照）側に位置する。端子台ボックス６５は、上記一部の電装機器９０〜９６に、パッケージ８０の側板部８９の法線方向に如何なる部材や部位も介さずに隙間のみを介して対向可能である。
【００６８】
図６に示すように、室外機５０のパッケージ８０を外した状態でかつ端子台ボックス６５が開放位置に位置している状態で、室外機５０は、奥行き方向の端子台ボックス６５配置側に、外部に面する一以上の電磁弁９０〜９９,１０１と、外部に面する一つの電子膨張弁７５を有する。
【００６９】
端子台ボックス６５に隙間のみを介して対向可能な一部の電装機器は、複数の外部に面する電磁弁９０〜９６を有する。端子台ボックス６５は、上記外部に面する電子膨張弁７５よりも高い箇所に位置する。
【００７０】
図７に示すように、ヒートポンプは、遠隔監視装置４８を有し、その遠隔監視装置４８は、端子台ボックス６５に収納されている。遠隔監視装置４８は、いくつかの機器の状態を表す信号を、有線または無線でヒートポンプの外部に送信する。一例を示すと、遠隔監視装置４８は、リセットしないタイマーを有する。遠隔監視装置４８は、ガスエンジンの駆動軸に設置された回転数センサ等のヒートポンプの駆動を検知可能なセンサからの信号を受ける。遠隔監視装置４８は、その信号とタイマーとを用いてヒートポンプの総駆動時間を計測する。遠隔監視装置４８は、総駆動時間を表す信号を外部に送信する。この信号は、ガスエンジンのオイルの交換時期等の判断等に使用される。
【００７１】
図６に示すように、端子台ボックス６５には、係止具４７が固定されている。係止具４７は、端子台ボックス６５の上端部から高さ方向の上方に延在している。係止具４７は、略円筒状の係止部６７を有し、係止部６７は、端子台ボックス６５の厚さ方向に延びている。
【００７２】
係止部６７は、幅方向に延在するフレーム４３に水平方向に重なる。フレーム４３は、円筒穴６８を有する。円筒穴６８は、係止部６７に対応する形状を有し、係止部６７が存在する高さに存在する。図７に示すように、端子台ボックス６５の閉止位置では、係止部６７を円筒穴６８に係止する。端子台ボックス６５が閉止位置に位置しているとき、端子台ボックス６５が、幅方向に延在し、パッケージ８０が装着可能となる。このように、端子台ボックス６５を、上部に配置すると、端子台ボックス６５を、ヒンジ構造によってフレーム４２に水平方向に回転可能に支持するだけでなく、幅方向に延在する上部のフレーム４３に係止できて好ましい。
【００７３】
図７を参照して、パッケージ８０の側板部８９は、端子台ボックス６５に近接配置される。詳しくは、パッケージ８０の側板部８９は、端子台ボックス６５が支持されるフレーム４２,４３と同一のフレーム４２,４３に着脱可能に取り付けられる。端子台ボックス６５が、図７に示す閉止位置に位置しなければ、パッケージ８０の側板部８９をフレーム４２および４３に取り付けることはできない。換言すると、パッケージ８０の側板部８９が取り外された状態でなければ、端子台ボックス６５は旋回させることができない。
【００７４】
パッケージ８０の側板部８９を取り付けた状態で、端子台ボックス６５は、側板部８９に隙間のみを介して対向するともに側板部８９に沿った方向に延在する。図７に示す閉止位置で、端子台ボックス６５は、パッケージ８０の側板部８９と、一部の電装機器９０〜９６との間に挟まれるように位置する。
【００７５】
上記実施形態によれば、端子台ボックス６５が、パッケージ８０の側板部８９と、側板部８９側に位置する一部の電装機器９０〜９６との間に位置し、かつ、端子台ボックス６５が、水平方向に回転可能にヒンジによって支持されているから、端子台ボックス６５を適切に回転させるだけで、一部の電装機器９０〜９６を外部側に容易に露出させることができる。したがって、端子台ボックス６５を適切に回転させるだけで、ユーザが一部の電装機器９０〜９６に容易にアクセスできて、一部の電装機器９０〜９６のメンテナンスを容易に行い得る。
【００７６】
また、上記実施形態によれば、端子台ボックス６５に遠隔監視装置４８を格納しているから、容積が大きい各種電装機器の配置スペースに新たに遠隔監視装置４８の配置スペースを設ける必要がない。したがって、各種電装機器の配置スペースを小さくできる。また、端子台ボックス６５に遠隔監視装置を収納しているから、遠隔監視装置４８の配置位置を容易に特定でき、遠隔監視装置４８のメンテナンスも容易に行うことができる。
【００７７】
また、電子膨張弁７５は、冷媒の膨張を行うことから、電子膨張弁７５の表面には結露が生成し易い。また、電子膨張弁７５の容積は、電磁弁９０〜９９,１０１等の容積よりも大きい。上記実施形態によれば、側板部８９を外した状態で外部に面することが可能な（端子台ボックス６５が開放位置で外部に面することが可能なものも含む）電子膨張弁７５の全て（この実施形態では、一つのみ）が、端子台ボックス６５よりも下方に存在しているから、水分に弱い端子台ボックス６５に搭載された電子部品や電装機器９０〜９６のより多くを、外部に面する電子膨張弁７５よりも高い位置に配置できる。したがって、端子台ボックス６５に搭載された電子部品や多くの電装機器９０〜９６を、外部に面する電子膨張弁７５の表面に生成される結露より守ることができる。
【００７８】
また、上記実施形態によれば、端子台ボックス６５が閉止位置に存在しているとき、端子台ボックス６５に隙間のみを介して対向する機器が、電磁弁９０〜９６を含む一方、電子膨張弁７５を含まない。したがって、各電磁弁９０〜９６および各電子膨張弁７５の特定を容易に行うことができて、特定の弁のメンテナンスを容易に行い得る。
【００７９】
また、上記実施形態によれば、端子台ボックス６５側かつ端子台ボックス６５に対向可能な位置に電磁弁９０〜９９,１０１よりも容積が大きい電子膨張弁７５が存在しないから、側板部８９の法線方向（奥行き方向）の寸法を抑制できて、室外機５０をよりコンパクトにできる。
【００８０】
仮に、端子台ボックス側かつ端子台ボックスに対向可能な位置に容積が大きい電子膨張弁が存在すると、その電子棒膨張弁の外側に更に端子台ボックスが配置されることになるため、室外機が奥行き方向（閉止位置での端子台ボックスの厚さ方向）に大型化する虞があるのである。
【００８１】
尚、上記実施形態では、端子台ボックス６５に遠隔監視装置４８を格納したが、この発明では、端子台ボックスに遠隔監視装置を格納しなくてもよい。
【００８２】
また、上記実施形態では、端子台ボックス６５が、一階と二階とを隔てる水平方向に延在するフレーム４３に係止可能であり、一階において上部の方に配置された。しかしながら、この発明では、端子台ボックスは、一階において下部の方に配置されてもよい。
【００８３】
また、上記実施形態では、端子台ボックス６５に如何なる部材や部位も介さずに隙間のみを介して対向可能な電装部品に電子膨張弁が含まれなかった。しかしながら、この発明では、端子台ボックス６５に如何なる部材や部位も介さずに隙間のみを介して対向可能な電装部品に電子膨張弁が含まれていても良い。
【００８４】
また、上記実施形態では、室外機５０のパッケージの側板部８９を外した状態でかつ端子台ボックス６５が開放位置に位置するとき、室外機５０が、奥行き方向の端子台ボックス６５配置側に、外部に面する複数の電磁弁９０〜９９,１０１および外部に面する一つの電子膨張弁７５を有した。しかしながら、この発明では、室外機のパッケージを外した状態でかつ端子台ボックスが開放位置に位置するとき、室外機が、奥行き方向（パッケージの端子台ボックス側の側板の法線方向）の端子台ボックス配置側に、端子台ボックスに奥行き方向に対向する外部に面する一つのみの電磁弁を有してもよい。また、室外機が、奥行き方向（パッケージの端子台ボックス側の側板の法線方向）の端子台ボックス配置側に、端子台ボックスに高さ方向に間隔をおいて位置する複数の電子膨張弁を有してもよい。
【００８５】
また、上記実施形態では、ヒートポンプが、一つの室外機５０と、一つの室内機１００とを有していたが、この発明では、ヒートポンプは、一以上の如何なる数の室外機を有してもよく、また、一以上の如何なる数の室内機を有してもよい。
【００８６】
また、上記実施形態では、ヒートポンプが、ガスエンジン駆動式のヒートポンプであったが、この発明のヒートポンプは、ディーゼルエンジンやガソリンエンジン等のガスエンジン以外のエンジンで駆動するヒートポンプであってもよい。また、この発明のヒートポンプは、電気駆動式のヒートポンプであってもよい。
【００８７】
また、この発明では、端子台ボックスが収納する端子台は、全部の電装機器へ電力を供給するためのものであってもよく、一部の電装機器のみへ電力を供給するためのものであってもよい。端子台ボックスが収納する端子台は、少なくとも一つの電装機器へ電力を供給するためのものであればよい。
【００８８】
また、上記実施形態では、室外熱交換器２３,２４が、空気を側面から吸い込んで、上部から排出する構造であったが、この発明では、室外熱交換器において、空気を吸入する箇所は如何なる箇所であってもよく、空気を排出する箇所も如何なる箇所であってもよい。
【００８９】
また、この発明では、上記実施形態との比較において、上記実施形態を構成した電装部品および部位うちの一以上の電装部品や部位を適宜省略することができる。また、逆に、この発明では、上記実施形態との比較において、上記実施形態を構成した電装部品および部位に、更なる電装部品や部位を追加することもできる。
【００９０】
また、この発明では、エンジンや電動モータ等の圧縮機の動力源と、圧縮機とを、敷居で区切って、圧縮機の動力源の熱い熱が、冷媒側に行かないようにしてもよく、または、エンジンや電動モータ等の圧縮機の動力源と、圧縮機とを、敷居で区切らなくてもよい。また、上記実施形態および変形例で説明した全ての構成のうちの二以上の構成を組み合わせて新たな実施形態を構築できることは、勿論である。
【符号の説明】
【００９１】
１  第１圧縮機
２  第２圧縮機
３  オイルセパレータ
４  四方弁
６  ガス側フィルタ
８  室内熱交換器
９  液側フィルタ
１０  液側閉鎖弁
１７  レシーバ
１８  過冷却熱交換器
２０  第１電子膨張弁
２１  第２電子膨張弁
２３  第１熱交換器
２４  第２熱交換器
２６  アキュムレータ
２７  サブエバポレータ
３５  第３電子膨張弁
３６  第４電子膨張弁
３８  電磁弁
４８  遠隔監視装置
５０  室外機
６０  制御装置
６５  端子台ボックス
７４  端子台
７５  電子膨張弁
８０  パッケージ
８３  フライホイール
８９  測板部（パッケージの測板の一部）
９０〜９９,１０１  電磁弁
１００  室内機
１１０  ガス管
１２０  冷媒管
【図１】
0006318078.tif 000002
【図２】
0006318078.tif 000003
【図３】
0006318078.tif 000004
【図４】
0006318078.tif 000005
【図５】
0006318078.tif 000006
【図６】
0006318078.tif 000007
【図７】
0006318078.tif 000008